(57)【要約】【課題】状態情報履歴通知機能を有する被監視装置及び状態情報履歴通知方法に関し、監視装置の処理負担及び監視回線の負荷を増大させること無く、監視回線の異常時における被監視装置内の警報発生状況等の状態情報の履歴を監視装置に通知する。【解決手段】監視装置に監視回線を介して状態情報を通知する被監視装置内において、監視回線状態判定部１−２１で、監視回線が正常状態であるか異常状態であるかを監視し、監視回線が異常状態であると判定されたときは、自装置内の警報発生等の状態情報を状態履歴記憶領域１−５に記憶し、回線が正常状態に回復したとき、監視回線異常期間における被監視装置内の状態情報の変遷を状態履歴記憶領域１−５から読み出し、監視回線を介して監視装置に通知する。監視回線が異常であるか否かの判定は、監視回線接続口１−１の電気疎通の有無、又は監視回線構成装置から通知される回線異常の情報を基に判定する。【選択図】図１
2007215066.tif 000002
【特許請求の範囲】
【請求項１】
監視回線を介し監視装置によって監視される被監視装置において、
前記監視回線が正常状態であるか異常状態であるかを監視する回線状態監視手段と、
前記監視回線が異常状態となったときから正常状態に回復するまでの期間における自装置内の状態情報の変遷を状態履歴記憶領域に記憶する状態履歴記憶手段と、
前記監視回線が異常状態となっている期間における前記状態履歴記憶領域に記憶された状態情報の履歴を、前記監視回線が正常状態に回復した後に前記監視装置に通知する手段と、
を備えたことを特徴とする状態情報履歴通知機能を有する被監視装置。
【請求項２】
前記回線状態監視手段は、前記監視回線の正常状態又は異常状態を、該監視回線が接続される監視回線接続口における電気供給の疎通の有無の検出によって、判定することを特徴とする請求項１に記載の状態情報履歴通知機能を有する被監視装置。
【請求項３】
前記監視装置までに至る監視回線を接続する監視回線構成装置の接続構成情報を、監視回線構成記憶領域に記憶する監視回線構成記憶手段を備え、
前記回線状態監視手段は、前記監視回線構成装置から通知される回線異常の情報と、前記監視回線構成記憶領域に記憶された接続構成情報とを照合して、前記監視回線の正常状態又は異常状態を判定することを特徴とする請求項１に記載の状態情報履歴通知機能を有する被監視装置。
【請求項４】
前記回線状態監視手段は、インターネットプロトコル層におけるネットワークの接続確認メッセージを含むパケットを送信し、該パケットに対する返送メッセージを元に、自装置の上位の監視回線を構成している監視回線構成装置の接続構成情報を取得することを特徴とする請求項３に記載の状態情報履歴通知機能を有する被監視装置。
【請求項５】
監視回線を介して接続された監視装置に、被監視装置の状態情報の履歴を通知する状態情報履歴通知方法であって、
前記被監視装置では、前記監視回線が正常状態であるか異常状態であるかを監視するステップと、
前記監視回線が異常状態となったときから正常状態に回復するまでの期間における被監視装置内の状態情報の変遷を状態履歴記憶領域に記憶するステップと、
前記監視回線が異常状態となっている期間における前記状態履歴記憶領域に記憶された状態情報の履歴を、前記監視回線が正常状態に回復した後に前記監視装置に通知するステップと、
を含むことを特徴とする状態情報履歴通知方法。
【請求項６】
前記回線状態を監視するステップでは、前記監視回線の正常状態又は異常状態を、該監視回線が接続される監視回線接続口における電気供給の疎通の有無の検出によって、判定することを特徴とする請求項５に記載の状態情報履歴通知方法。
【請求項７】
前記回線状態を監視するステップでは、前記監視装置までに至る監視回線を接続する監視回線構成装置の接続構成情報を、監視回線構成記憶領域に記憶しておき、前記監視回線構成装置から通知される回線異常の情報と、前記監視回線構成記憶領域に記憶された接続構成情報とを照合して、前記監視回線の正常状態又は異常状態を判定することを特徴とする請求項５に記載の状態情報履歴通知方法。
【請求項８】
前記回線状態を監視するステップでは、インターネットプロトコル層におけるネットワークの接続確認メッセージを含むパケットを送信し、該パケットに対する返送メッセージを元に、自装置の上位の監視回線を構成している監視回線構成装置の接続構成情報を取得することを特徴とする請求項７に記載の状態情報履歴通知方法。
【発明の詳細な説明】
【技術分野】
【０００１】
本発明は、状態情報履歴通知機能を有する被監視装置及び状態情報履歴通知方法に関し、特に、ネットワーク装置などの被監視装置群における異常発生などを、監視回線によって接続された監視装置によって監視するシステムにおいて、監視回線の異常発生によって被監視装置を監視装置から監視することができない状態になった場合における、被監視装置内の警報発生状況等の状態の遷移内容を監視装置に通知する手法に係るものである。
【背景技術】
【０００２】
ネットワークによる通信サービスは、より高品質なもの、より広範囲なものへと展開しており、それに伴ってネットワークを構成する各装置（ネットワーク装置）の運行状態の監視体制も厳密でかつ監視漏れのないものが求められている。その反面、コスト抑制の要求も強く、ネットワーク装置等の被監視装置への初期投資も著しく抑止され、ネットワーク装置等の被監視装置群を監視する監視装置及び監視情報の伝送に用いる監視回線などは、必要最小限の設備で構築される場合もある。
【０００３】
監視回線に十二分な設備投資がなされていない場合には、当然、発生確率は微小ではあるが、監視回線に一時的な異常が発生するケースが想定される。しかし、監視回線に一時的な異常が発生しても、監視システムとして支障を来たすものの、ネットワーク装置等の被監視装置によって提供されるサービス自体には、直接の関連性はなく、悪影響を与えない場合が多い。
【０００４】
また、装置の製造技術等の向上や改良により、ネットワーク装置等の被監視装置及びそれらによって提供されるサービスに異常が発生する確率や、監視回線に異常が発生する確率はかなり低く抑えられ、それらの提供サービスと監視回線とに同時に異常が発生することはめったに無い。そのため、ネットワーク装置等の一般的な被監視装置に対する監視回線の異常については十分な対策が講じられておらず、そのような異常事象に対処するための充分な処理機能を具備することはなかった。
【０００５】
しかし、ネットワーク等のシステムがより高度・複雑化されていくにつれ、上述のような稀にしか発生しない事象に対しても、ネットワーク装置等の被監視装置がどのような動作を行っていたのか、どのよう運行状態であったかを把握・解析する際に、ネットワーク等のシステムにおける動作不明な期間を極力削減する必要性が高まっている。
【０００６】
本発明に関連する先行技術文献として、下記の特許文献１には、ネットワークエレメントのアラームメッセージを処理するための方法等について記載されている。同文献に記載のアラームメッセージ処理方法は、ネットワークエレメントがアラームメッセージをアラーム装置に送信し、アラーム装置がアラームメッセージを受信して格納し、監視装置が該格納されたアラームメッセージに関する問い合わせをアラーム装置に送信し、アラーム装置が該問い合わせを受信し、格納されたアラームメッセージに関する情報項目を含む応答を監視装置に送信し、監視装置が応答を評価するものである。
【特許文献１】特開２０００−２１６７８１号公報
【発明の開示】
【発明が解決しようとする課題】
【０００７】
従来の監視装置による監視では、監視装置と被監視装置との間の監視回線が断状態になっている間に警報が発生（又は回復）した場合に、監視回線が断となる前と後とで被監視装置の状態が変化しているかどうかは、監視回線の断状態の回復後に監視装置から被監視装置に対して状態確認の操作を行ってみれば判明するが、警報が発生（又は回復）した時刻等は識別することができない。
【０００８】
また、監視回線が断状態になっている間に、複雑に被監視装置の状態が遷移（例えば、警報の発生→回復→発生などのように遷移）した場合には、どのような過程で現在の状態となっているのかを把握することができない。即ち、監視回線が断状態になっている間に、一時的に被監視装置が障害を起こし、障害回復後に監視回線が復旧した場合などには、監視装置からは障害があったことすら認識されないため、サービス障害後の状況判断に問題を生じる場合があり、また、当然、障害の発生が認識されないので対策を講じるようなことは行われず、幾度でも障害発生を再現させてしまうことがある。
【０００９】
これらの問題を改善するために、前述の特許文献１記載の発明のように、監視装置が被監視装置に対して状態情報の確認・収拾を行うようにしたシステムがあるが、このようなシステムでは、監視装置と被監視装置との状態情報の差分や監視回線の状態を、監視装置側の制御によって判断・解析するため、監視装置が多数の被監視装置を監視している場合などには、監視装置の処理負荷が重くなってしまうという問題がある。
【００１０】
これらの負荷は、特に監視回線の根元で異常が発生した場合に、そこから枝分かれした監視回線に接続された多数の被監視装置が対象となるため、著しく重い負荷となる。この場合には、監視装置は監視回線の異常が復旧したタイミングで、多数の被監視装置との接続復旧及びデータの収集処理を行うため、短時間とはいえ、大きな負荷となりうる。また、通常の運用のケースにおいても、多数の被監視装置が存在する場合には、非常に多くの監視回線の状況を監視装置が常時監視することになり、監視装置の相当な処理能力がそのために使われることともなる。
【００１１】
本発明は、監視装置における多数の被監視装置との間の監視回線の状態を判断・解析する処理負担を増大させること無く、また、被監視装置における状態情報の確認・収拾・解析などの処理負担を最小限なものに軽減し、また、監視回線の無効なトラフィック負荷を発生することなく、監視回線の異常時における被監視装置内の警報発生状況等の状態情報の履歴を監視装置に通知することを可能にする。
【課題を解決するための手段】
【００１２】
本発明の状態情報履歴通知機能を有する被監視装置は、（１）監視回線を介し監視装置によって監視される被監視装置において、前記監視回線が正常状態であるか異常状態であるかを監視する回線状態監視手段と、前記監視回線が異常状態となったときから正常状態に回復するまでの期間における自装置内の状態情報の変遷を状態履歴記憶領域に記憶する状態履歴記憶手段と、前記監視回線が異常状態となっている期間における前記状態履歴記憶領域に記憶された状態情報の履歴を、前記監視回線が正常状態に回復した後に前記監視装置に通知する手段と、を備えたことを特徴とする。
【００１３】
また、（２）前記回線状態監視手段は、前記監視回線の正常状態又は異常状態を、該監視回線が接続される監視回線接続口における電気供給の疎通の有無の検出によって、判定することを特徴とする。
【００１４】
また、（３）前記監視装置までに至る監視回線を接続する監視回線構成装置の接続構成情報を、監視回線構成記憶領域に記憶する監視回線構成記憶手段を備え、前記回線状態監視手段は、前記監視回線構成装置から通知される回線異常の情報と、前記監視回線構成記憶領域に記憶された接続構成情報とを照合して、前記監視回線の正常状態又は異常状態を判定することを特徴とする。
【００１５】
また、（４）前記回線状態監視手段は、インターネットプロトコル層におけるネットワークの接続確認メッセージを含むパケットを送信し、該パケットに対する返送メッセージを元に、自装置の上位の監視回線を構成している監視回線構成装置の接続構成情報を取得することを特徴とする。
【００１６】
また、本発明の状態情報履歴通知方法は、（５）監視回線を介して接続された監視装置に、被監視装置の状態情報の履歴を通知する状態情報履歴通知方法であって、前記被監視装置では、前記監視回線が正常状態であるか異常状態であるかを監視するステップと、前記監視回線が異常状態となったときから正常状態に回復するまでの期間における被監視装置内の状態情報の変遷を状態履歴記憶領域に記憶するステップと、前記監視回線が異常状態となっている期間における前記状態履歴記憶領域に記憶された状態情報の履歴を、前記監視回線が正常状態に回復した後に前記監視装置に通知するステップと、を含むことを特徴とする。
【００１７】
また、（６）前記回線状態を監視するステップでは、前記監視回線の正常状態又は異常状態を、該監視回線が接続される監視回線接続口における電気供給の疎通の有無の検出によって、判定することを特徴とする。
【００１８】
また、（７）前記回線状態を監視するステップでは、前記監視装置までに至る監視回線を接続する監視回線構成装置の接続構成情報を、監視回線構成記憶領域に記憶しておき、前記監視回線構成装置から通知される回線異常の情報と、前記監視回線構成記憶領域に記憶された接続構成情報とを照合して、前記監視回線の正常状態又は異常状態を判定することを特徴とする。
【００１９】
また、（８）前記回線状態を監視するステップでは、インターネットプロトコル層におけるネットワークの接続確認メッセージを含むパケットを送信し、該パケットに対する返送メッセージを元に、自装置の上位の監視回線を構成している監視回線構成装置の接続構成情報を取得することを特徴とする。
【発明の効果】
【００２０】
本発明では、監視装置と被監視装置との間の監視回線が断状態の間における状態遷移の履歴を被監視装置が自律的に記録し、監視回線が異常状態から回復した際に、該状態遷移の履歴を監視装置に送信する。これにより、監視装置は多数の被監視装置との間の監視回線の状態を判断・解析する負担から解放される。また、被監視装置から監視回線断状態期間の状態情報をそのまま送るため、被監視装置における状態情報の確認・収拾・解析といった処理負担も最小限なものに軽減される。
【００２１】
また、監視装置は各被監視装置の状態や履歴を確認することなく、各被監視装置から必要な状態遷移情報が得られるため、該状態遷移情報を取得するための監視装置と被監視装置の間で交わす情報交換の量も必要最小限に抑えられるため、監視回線へのトラフィック負荷もその分軽減される。
【００２２】
また、監視回線の断状態を被監視装置が検出したときに、被監視装置は監視装置に警報等の状態情報の通知を停止するため、宛先に到達されない状態情報のパケットが監視回線に流出することによる監視回線の無効なトラフィック負荷の発生を防ぐことができる。
【００２３】
また、本発明において、被監視装置で監視回線の構成情報を保持し、監視回線の接続構成を把握して監視回線の異常／回復を監視することにより、監視回線が断状態の期間における状態遷移の履歴を被監視装置で正確に記録することが可能となる。
【００２４】
また、被監視装置が監視回線の構成を、ＩＰ層のネットワーク接続構成確認のメッセージに対する返送メッセージから自動的に認識し、それを監視回線構成情報保存領域に記録することにより、被監視装置の設置数が非常に多い場合や、監視回線の構成が複雑である場合でも、被監視装置における監視回線の構成情報の格納を容易に行うことができる。
【００２５】
従来の監視装置が監視回線を監視する方式では、被監視装置が監視回線の異常を検出することはなく、或いは検出する場合でもタイムアウト動作などによるものしかなく、それでは実際に監視回線が断状態になってから被監視装置でそれを検出するまでにタイムラグが生じてしまう。しかし本発明のように、被監視装置が監視回線上の構成装置の接続状態を直接監視することにより、被監視装置で監視回線の異常を即座に検出することができ、監視回線異常期間の状態遷移履歴を正確に記録することができる。
【発明を実施するための最良の形態】
【００２６】
図１に本発明による被監視装置（ネットワーク装置）の構成を示す。また、図２に本発明の警報履歴通知方式の接続構成例を示し、図３〜図５に本発明の動作シーケンスチャートを、図６に本発明における状態履歴記憶領域及び監視回線構成記憶領域のデータ例を示す。
【００２７】
図１において、監視回線接続口１−１は、ＬＡＮケーブルや無線ＬＡＮなどのＬＡＮ回線を接続する部分であり、監視装置との情報の送受信を行う機能を有する。監視回線状態判定部１−２１は、処理部１−２の機能部の一部として本発明のために実装され、監視回線接続口１−１の状態及び監視回線接続口１−１から受け取ったデータを監視し、監視回線構成記憶領域１−４の情報を参照して、監視回線の異常を知らせるデータかどうかを解析し、監視回線の状態を判定する機能を有する。
【００２８】
処理部１−２は、被監視装置（ネットワーク装置）の本来の機能動作の制御、監視回線接続口１−１の制御、被監視装置（ネットワーク装置）内部の状態の監視など、装置機能の論理的制御を行う機能部である。被監視装置としての状態の異常などを此処で検出し、監視回線接続口１−１及び監視回線を介して監視装置へ伝える。
【００２９】
機能部１−３は、本発明に拠らない被監視装置（ネットワーク装置）の機能を果たす部分である。監視回線構成記憶領域１−４は、自律的な調査によって又は使用者の登録によって取得した監視回線の構成情報を格納する記憶領域である。状態履歴記憶領域１−５は、処理部１−２により検出された被監視装置（ネットワーク装置）の状態異常、状態正常化、状態の変更といった状態情報を履歴として格納する記憶領域である。
【００３０】
図２は、本発明の警報履歴通知方式を説明するために、監視装置と或る１つの被監視装置であるネットワーク装置との１対１の接続構成例を示している。図中、網掛け部分は各被監視装置の監視回線接続口（一般的にはＬＡＮポート）を示している。同図において、監視装置２−１は、保守を目的とし、被監視装置であるネットワーク装置２−３の状態を監視、管理する装置である。
【００３１】
監視装置２−１は、ＬＡＮ接続によりネットワーク装置２−３と監視・制御情報を送受信し、ネットワーク装置２−３の監視保守を行う。監視回線構成装置２−２は、ハブ、ルーターなどの機器に代表される機器であり、複数のＬＡＮポートを有し、ＬＡＮの拡張などに用いられる。一般的なＬＡＮネットワークは、複数のこれらの機器を直列又は並列に多段接続して構成される。
【００３２】
ネットワーク装置２−３は、監視装置２−１により監視される被監視装置であり、ネットワークインフラストラクチャを構成するための各種機能や装備を有する装置である。監視回線Ａ〜Ｄは、一般的には、ＬＡＮケーブルや無線ＬＡＮ回線などに代表されるＬＡＮを構成する接続回線であり、監視装置２−１、各監視回線構成装置２−２及びネットワーク装置２−３の間を繋ぐ情報伝達媒体である。
【００３３】
以下に本発明による監視動作の具体例について図３〜図６を参照して説明する。ここで前提条件として、各監視回線構成装置２−２は、監視回線の異常や異常からの回復を検出した場合に、被監視装置（ネットワーク装置）２−３へＳＮＭＰ（Simple Network Management Protocol）等のプロトコルにより通知する機能を有する。
【００３４】
また、監視装置２−１、各々の監視回線構成装置２−２及びネットワーク装置２−３は、既に運用状態にあり、また正常に動作しているものとする。この状態でネットワーク装置２−３の機能部に異常が発生すると（３−１）、処理部１−２でこれを検出し（３−２）、第１の警報＃１として監視装置２−１に通知する（３−３）。
【００３５】
ここで、監視回線に異常が発生し（３−４）、図２における監視回線構成装置２−２＃３とネットワーク装置２−３との間で回線異常が発生したとする。ネットワーク装置２−３の監視回線接続口１−１がＬＡＮポートなどである場合には、接続口に接続されているケーブルから電気供給がされているかを調査することで、ケーブルの反対側の機器と接続されているか、監視回線に異常が発生したかを検出することができる。
【００３６】
ネットワーク装置２−３における監視回線接続口（ＬＡＮポート）１−１に接続された監視回線からの電気供給が途絶えたことを検出すると（３−５）、監視回線状態判定部１−２１は監視回線が異常と判断し、処理部１−２ではそれ以降の状態変化や警報発生などの情報を、状態遷移の履歴として状態履歴記憶領域１−５に格納するよう指示する（３−６）。
【００３７】
また、回線異常の発生の別の例として、監視回線の異常が図２の監視回線構成装置２−２＃３と監視回線構成装置２−２＃２との間で発生した場合には、監視回線構成装置２−２＃３が監視回線異常を検出し、その通知をネットワーク装置２−３に対して行う。例えば、監視回線構成装置２−２＃３のＩＰアドレス“１９２．１６８．０．３”の１０番ポートで異常発生といった情報を通知する。
【００３８】
監視回線状態判定部２−２１は、受け取った通知の内容を、監視回線構成記憶領域１−４の情報と比較し、自装置が接続された監視回線の異常を検出する。前述の情報が通知された場合、図６（ｂ）に示す監視回線構成記憶領域のデータと比較し、「監視構成被監視装置２−２＃３（ＩＰアドレス：１９２．１６８．０．３）」の「１０番ポート」という一致する情報が存在するので、自装置に係る監視回線の異常発生と判断する。
【００３９】
即ち、被監視装置であるネットワーク装置２−３は、各監視回線構成装置２−２の接続構成情報を監視回線構成記憶領域１−４に保持し、各監視回線構成装置２−２は、被監視装置であるネットワーク装置２−３をＳＮＭＰマネージャと見なして、監視回線に異常が発生した場合にはネットワーク装置２−３にその通知を行う。
【００４０】
そして、被監視装置であるネットワーク装置２−３は、監視回線や監視回線構成装置２−２に異常が発生したときに、監視回線構成装置２−２から送信された通知情報を、監視回線状態判定部１−２１で監視回線構成記憶領域１−４の情報に基づいて判定し、自装置に係る監視回線が断状態となってしまっているかどうかを見極める。
【００４１】
これにより、監視回線が断状態であると判定された場合には、被監視装置であるネットワーク装置２−３内の機能部１−３で発生したそれ以降の状態変化や警報等の情報は、処理部１−２の制御により、状態遷移の履歴として状態履歴記憶領域１−５に格納する（４−１〜４−６）。
【００４２】
その後、監視回線の異常が回復し（５−１）、監視回線構成装置２−２からの通知により、監視回線が復旧した旨の情報を受けた場合には、監視回線が正常に戻ったものと監視回線状態判定部１−２１が判断し（５−２）、処理部１−２に状態履歴を監視装置２−１へ通知するよう指示し、同時に状態履歴記憶領域１−５に格納する指示の取り消しを行う（５−３）。
【００４３】
処理部１−２は、状態履歴記憶領域１−５から全ての状態履歴を取り出し（５−４）、該状態履歴を監視装置２−１に通知する（５−５）。その後、機能部１−３に異常が発生した場合（５−６）、処理部１−２で装置異常を検出し（５−７）、通常通り、発生した異常を監視装置２−１に警報として通知する（５−８）。これにより、監視装置２−１は、監視回線断によりその間に得られなかった状態情報を取得することができ、被監視装置２−３の状態の変遷を把握することができる。
【００４４】
なお、監視回線構成記憶領域１−４に監視回線の構成情報を格納するには、構築されている監視回線の構成情報を、使用者が被監視装置２−３に対して登録する構成とすることができる。これらの情報は、監視回線構成装置２−２において使用されているポート（インタフェース）番号、ＳＮＭＰコミュニティといった情報が該当する。
【００４５】
また、監視回線構成記憶領域１−４に監視回線の構成情報を格納する他の手段として、被監視装置２−３は、監視装置２−１に対してＰｉｎｇ（Packet Internet Groper）及びＡＲＰ（Address Resolution Protocol）のパケットを送信し、該Ｐｉｎｇ及びＡＲＰのパケットに対する返送メッセージによって得られる情報を基に、被監視装置２−３の上位位置に存在する監視回線構成装置のＩＰアドレス及びＭＡＣアドレスを認識する。そのようにして認識したＩＰアドレスに対してＳＮＭＰのプロトコルにより取得することができる情報を全て取得する。
【００４６】
そして上記により取得した情報の中から、ＭＡＣアドレスが一致する情報を探し出し、そこから使用されているポートを割り出す。これにより使用ポートが判明し、監視回線構成装置２−２からの通知があった場合に、監視回線状態判定部１−２１が、自装置に係る監視回線に該当するポートの情報かどうかを判定して、監視回線に異常があったのかどうかを判定する。
【００４７】
監視回線に異常があったと判定した場合は、処理部１−２に対して以降は警報の通知を停止して状態履歴記憶領域１−５に格納するように指示する。処理部１−２は該指示を受け、以降は異常を検出しても監視装置２−１への通知は行わずに、状態履歴記憶領域１−５に格納する。仮にここで第２の警報＃２及び第３の警報＃３の二つの警報が発せられる異常が発生しても、それらは図６の（ａ）に示すように、状態履歴記憶領域１−５に格納される。
【００４８】
そして、例えば、図２の監視回線構成装置２−２＃３とネットワーク装置２−３との間の監視回線で異常が発生していた場合、該監視回線の異常が回復すると、ネットワーク装置２−３の監視回線接続口１−１における電気疎通が正常状態に戻るため、監視回線状態判定部１−２１は、該電気疎通の状態から監視回線の回復を検出する。
【００４９】
また、監視回線の異常が例えば図２の監視回線構成装置２−２＃３と監視回線構成装置２−２＃２との間で発生していた場合には、監視回線構成装置２−２＃３が監視回線の正常復帰を検出し、その旨をネットワーク装置２−３に通知する。例えば、監視回線構成装置２−２＃３の１０番ポートの異常回復といった情報を通知する。監視回線状態判定部１−２１は、受け取った通知内容を監視回線構成記憶領域１−４の情報と比較し、監視回線の復旧を検出する。
【００５０】
監視回線状態判定部１−２１は、処理部１−２に対して状態履歴を監視装置１−５へ監視回線復旧の旨を通知するよう指示し、同時に状態情報を状態履歴記憶領域１−５に格納する指示の取り消しを行う。そして処理部１−２は、状態履歴記憶領域１−５からこれまで蓄積されていた全情報（例えば、第２の警報＃２及び第３の警報＃３）を取り出し、監視装置２−１へ通知する。
【００５１】
上述の動作により、監視装置２−１は被監視装置からの全情報（例えば、第１の警報＃１、第２の警報＃２及び第３の警報＃３）を受け取ることができる。これにより、監視回線に異常があった期間の状態情報も監視装置２−１に送られることとなる。
【図面の簡単な説明】
【００５２】
【図１】本発明による被監視装置（ネットワーク装置）の構成を示す図である。
【図２】本発明の警報履歴通知方式の接続構成例を示す図である。
【図３】本発明の動作シーケンスチャートである。
【図４】本発明の動作シーケンスチャートである。
【図５】本発明の動作シーケンスチャートである。
【図６】本発明における状態履歴記憶領域及び監視回線構成記憶領域のデータ例を示す図である。
【符号の説明】
【００５３】
１−１  監視回線接続口
１−２  処理部
１−２１  監視回線状態判定部
１−３  機能部
１−４  監視回線構成記憶領域
１−５  状態履歴記憶領域
２−１  監視装置
２−２  監視回線構成装置
２−３  ネットワーク装置
【図１】
2007215066.tif 000003
【図２】
2007215066.tif 000004
【図３】
2007215066.tif 000005
【図４】
2007215066.tif 000006
【図５】
2007215066.tif 000007
【図６】
2007215066.tif 000008